(57)【要約】  本発明は、データを記録するモジュール（１４）を有する金属製ケースを具備する時計において、前記モジュールは、時計の外部表面に外を向いて開いたキャビティ（１３）内に、その少なくとも大部分が収納される。前記キャビティは、前記モジュールに対して相補的形状をしている。、前記モジュールは、読み出し／書き込み装置とブロードキャスト信号を介して通信可能である。前記モジュールは、ベース（１５）を有し、前記ベース（１５）上に、少なくとも２個のバンプ（２６）を有する集積回路チップ（２４）と送受信アンテナとして機能するコイル（２３）とが搭載される。前記コイルは、前記集積回路チップのバンプにそれぞれ接続される２個の端部（２９）を有する導電性ワイヤにより形成される。前記コイルは、前記集積回路チップが配置される空間を包囲する。電子モジュールのドーム形状のベースは、金属製で磁束を誘導し、読み出し／書き込み装置とモジュールとのデータ通信中に、モジュールコイルを金属ケースから磁気的に絶縁する。モジュールのベースは、保護カバー（２８）により覆われる。
2007504437.tif 000002
【特許請求の範囲】
【請求項１】
データを記録するモジュール（１４）を有する金属製ケースを具備する時計において、
前記モジュール（１４）は、時計の外部表面に外に向いて開いたキャビティ（１３）内に、少なくとも大部分が収納され、
前記キャビティ（１３）は、前記モジュールに対して相補的形状をしており、
前記モジュールは、読み出し／書き込み装置とブロードキャスト信号を介して通信可能であり、
前記モジュールは、ベース（１５）を有し、前記ベース（１５）上に、少なくとも２個のバンプ（２６）を有する集積回路チップ（２４）と送受信アンテナとして機能するコイル（２３）とが搭載され、
前記コイルは、前記集積回路チップのバンプにそれぞれ接続される２個の端部（２９）を有する導電性ワイヤにより形成され、
前記コイルは、前記集積回路チップ（２４）が配置される空間を包囲し、
前記モジュール（１４）のベースは、読み出し／書き込み装置と前記モジュールとの間のデータ通信中に、前記モジュールのコイルを前記金属製ケースから磁気的に絶縁するよう磁束を誘導する金属製要素であり、
前記モジュール（１４）と前記モジュールを収納するキャビティ（１３）とに、読み出し／書き込み装置の相補形状をしたヘッド（３５）を迅速／正確に配置できる
ことを特徴とする金属製ケースを具備する時計。
【請求項２】
前記モジュールのベースは、純鉄、あるいはニッケル、鉄、銅、モリブデン、合金を含む材料から形成され、
前記合金は、７０−８０％のニッケルと１０−２０％の鉄を含有する
ことを特徴とする請求項１記載の時計。
【請求項３】
前記キャビティ（１３）と前記モジュール（１４）とは、円筒形状をしており、前記金属製ケース（１）のバックカバー（３）の中心に配置される
ことを特徴とする請求項１記載の時計。
【請求項４】
前記ベース（１５）は、ドーム形状をし、前記環状のコイル（２３）と集積回路チップ（２４）がその上に配置される平坦な底部（１６）と、前記コイルを包囲する側壁（２７）とを有し、
前記平坦な底部の内側表面から計った側壁（２７）の高さは、前記コイルまたは集積回路チップの厚さ以上であり、
前記ベース（１５）は、前記キャビティの内側表面とコイルとの間で、時計の外部表面のキャビティ（１３）内に収納される
ことを特徴とする請求項１−４のいずれかに記載の時計。
【請求項５】
前記電子モジュールは、底と環状の側壁（１７）とを有する保護カバー（２８）を有し、
前記保護カバー（２８）は、前記底部（１６）の上に配置されて、前記コイルと集積回路チップとを、前記ベース（１５）で包囲し、
前記保護カバー（２８）は、プラスチック、セラミック材料あるいはサファイア製であり、
前記保護カバー（２８）の側壁（１７）は、前記キャビティの内側に大部分が固定され、
前記保護カバー（２８）の底は、前記キャビティの外側に一部が突出し、
前記モジュール（１４）は、前記保護カバー（２８）内に設定することにより、接着により、あるいはクリッピングにより、前記キャビティ（１３）内に固定される
ことを特徴とする請求項１記載の時計。
【請求項６】
前記カバーの側壁（１７）の厚さは、前記底部からその上部にかけて連続的に増加し、外側表面（１８）がキャビティ（１３）の相補形状をした内壁（１９）と共働し、前記モジュール（１４）と時計表面のキャビティの間に、ドーブテール（ハトの尾（dovetail））形状の組み立て手段を形成する
ことを特徴とする請求項５記載の時計。
【請求項７】
前記保護カバー（２８）の側壁（１７）は、円筒形状の外側表面（１８）を有し、
前記キャビティ（１３）は、円筒形状の内壁（１９）を有する
ことを特徴とする請求項５記載の時計。
【請求項８】
前記ベース（１５）は、環状の剛性プレートにより形成され、
前記剛性プレート上に前記コイル（２３）と集積回路チップ（２４）が固定され、
前記ベースは、外部の時計表面とコイルとの間に配置される
ことを特徴とする請求項１−３、５のいずれかに記載の時計。
【請求項９】
前記コイル（２３）と前記集積回路チップ（２４）とは、前記ベース（１５）の上にボンディングすることにより、直接固定され、
前記コイルのワイヤ端部（２９）は、導電性材料手段により集積回路チップの前記バンプ（２６）に直接取り付けられる
ことを特徴とする請求項１記載の時計。
【請求項１０】
前記コイル（２３）と前記集積回路チップ（２４）とは、プリント基板（３８）上に固定され、
前記プリント基板（３８）は、前記コイルと前記チップとの間に配置された２個の接続用のバンプ（４０）を有し、
前記バンプ（４０）の上に、前記コイルのワイヤ端部が取り付けられ、
前記２個の導電性ワイヤ（４１）の２つの端部あるいは他の端部は、前記チップのバンプ（２６）上に取り付けられる
ことを特徴とする請求項１記載の時計。
【請求項１１】
前記キャビティ内に収納されたモジュール（１４）は、前記金属製ケース（１）のバックカバー（３）の外側に一部突出し、読み出し／書き込み装置の相補形状をしたヘッド（３５）を迅速且つ正確に配置する手段を形成する
ことを特徴とする請求項１記載の時計。
【請求項１２】
前記モジュールは、ベース（１５）を有し、
前記ベース（１５）の上に、少なくとも２個のバンプ（２６）を有する集積回路チップ（２４）と、送受信用アンテナとして機能するコイル（２３）とが搭載され、
前記コイルは、導電性ワイヤにより形成され、この導電性ワイヤの２個の端部はそれぞれ、前記集積回路チップの前記バンプにそれぞれ接続され、
前記コイルは、前記集積回路チップが配置された空間を包囲し、
前記ベースは、磁気シールドとして機能する磁束を誘導する金属製要素である
ことを特徴とする電子モジュール。
【請求項１３】
前記ベース上に配置された保護カバー（２８）を有し、これにより、コイルと集積回路チップとを前記ベース（１５）を用いて包囲し、
前記保護カバー（２８）は、プラスチック材料、セラミック材料あるいはサファイア製である
ことを特徴とする請求項１２記載の電子モジュール。
【発明の詳細な説明】
【技術分野】
【０００１】
本発明は、腕時計のような金属ケース付き時計に関する。
【０００２】
本発明は、データを記録するモジュールを有する金属製ケースを具備する時計において、前記モジュールは、時計の外部表面に外に向いて開いたキャビティ内に、その少なくとも大部分が収納される。前記キャビティは、前記モジュールに対して相補的形状をしている。前記モジュールは、読み出し／書き込み装置とブロードキャスト信号を介して通信可能である。前記モジュールは、ベースを有し、前記ベース上に、少なくとも２個のバンプを有する集積回路チップと送受信アンテナとして機能するコイルとが搭載される。前記コイルは、前記集積回路チップのバンプにそれぞれ接続される２個の端部を有する導電性ワイヤにより形成される。
【背景技術】
【０００３】
本発明は、更に時計の金属ケースの外側表面に配置可能なように形成された電子モジュールに関する。
【０００４】
腕時計の場合、電子モジュール、例えばデータを記憶するモジュールは、通常、時計ケースの内側に配置される。これらの電子モジュールは、集積回路（ＩＣ）チップを有する。この集積回路チップは、読み出し／書き込み装置とブロードキャスト信号を介して通信するアンテナとして機能するコイルに接続されている。この読み出し／書き込み装置は、ＩＣチップのメモリ内に含まれるデータを少なくとも読み出すために、あるいはこのようなデータの少なくとも一部を修正したり除去したり、さらにデータを追加したりするために具備されている。
【０００５】
より具体的には、本発明は、受動型の電子モジュールを有する金属製時計ケースに関する。用語「受動型」とは、モジュールがそれ自身のエネルギー源（例えばバッテリあるいは蓄電池）を具備しないことを意味する。モジュールの電気エネルギは、読み出し／書き込み装置によりブロードキャストされる信号により与えられる。
【０００６】
このような時計は、私的場所、警備中のビル、あるいはスキー場のゲレンデに関するアクセス・コードを記憶するだけである。より複雑なＩＣチップを具備した電子モジュールを有する別の時計は、個人用データ、例えば所有者の医療ファイルを含むこともある。
【０００７】
ある公知の時計においては、電子モジュールは、好ましくは取り外し可能な空洞ベゼル内に配置される。その結果、モジュールは必要により交換可能である。この解決法は、あらゆるタイプのケースを有する時計には適してはいない。さらに、ケースが、ベゼルすなわち中間部ベゼルを有する場合には、この構造はその製造が複雑で、時計のコスト上昇に繋がる。
【０００８】
他の時計においては、モジュールは、時計のムーブメントの裏側とバックカバー、すなわちそのケースとの間にある空間内に配置される。しかしこれは、時計の体積を必ず増加させてしまう。さらに、ケースのバックカバーが、非磁性体ではない金属（例えば鋼）で出来ている場合には、電子モジュールのコイルにより生成される、あるいはコイルが受信する磁束は、大幅な損失を被ることになる。このような損失を減らす措置を採ったとしても、それらは依然として無視できるものではない。これにより、読み出し／書き込み装置と電子モジュールとの間の通信距離が減少してしまう。最後に、ケースのバックカバーが非磁性材料（例えばプラスチック材料、金、銀、アルミ）で形成されている場合でも、モジュールのコイルが送受信するブロードキャスト信号は、バックカバーの全厚を貫通しなければならず、それ故に、大幅な減衰を引き起こす。
【特許文献１】欧州特許第０３７６０６２号明細書
【発明の開示】
【発明が解決しようとする課題】
【０００９】
本発明の目的は、従来技術の欠点を解決することである、本発明は、このため、読み出し／書き込み装置との通信の間、金属ケースに起因する干渉を減衰させる構成を有する電子モジュールを有する金属ケース付き時計である。更に時計のモジュールは、読み出し／書き込み装置との通信の間、読み出し／書き込み距離を増加させる。
【課題を解決するための手段】
【００１０】
本発明は、特にそのモジュールのベースは、読み出し／書き込み装置と前記モジュールとの間のデータ通信中に、前記モジュールのコイルを前記金属製ケースから磁気的に絶縁するよう磁束を誘導する金属製要素であり、前記モジュールと前記モジュールを収納するキャビティとが、読み出し／書き込み装置の相補形状をしたヘッドを迅速／正確に配置する。
【００１１】
好ましくは、金属ケース付き時計は腕時計である。従って、金属ベースは、前記モジュールのコイル用の磁気シールドとして機能する高い透磁性材料で形成しなければならない。チップとコイルが搭載されるベースの一部は、モジュールを収納する時計の外側表面とコイルとの間に、配置しなければならない。かくして、金属ケースに起因する干渉の良好な減衰は、読み出し／書き込み装置と通信する間、確保される。
【００１２】
好ましくは、ベースは、平坦な底を有するドームを形成し、その中にコイルとＩＣチップが搭載される。前記ドームの横壁の平坦な底部の内側表面から測った高さは、コイルとチップの厚さ以上であり、その結果、コイルとＩＣチップは、前記ドームの上側エッジを超えることはない。かくして、良好な磁気シールドが得られる。これにより、読み出し／書き込み装置と前記モジュールとの間の読み出し／書き込み距離を増加させることが可能となる。
【００１３】
外部キャビティすなわちブラインド・ホール（凹部）が、時計ケースの外側表面に形成され、その中に前記モジュールの大部分を収納する。好ましくはこのキャビティは、前記モジュールのベースに対し相補的形状を有する。ベースがドーム形状をしている場合には、このドーム形状部分が前記キャビティ内に導入され、ドームの底部が前記キャビティの底部と直接接触するようになる。これにより、前記モジュールのコイルは、金属ケースから適正に磁気的に絶縁される。
【００１４】
ベースは、１枚のプレートでもよい。このプレート上に環状コイルとこのコイルを内側に収納したＩＣチップとが配置される。ＩＣチップをカプセル化するためのレジンが、コイルの内側に残されたスペース内に注入される。モジュールのプレートは、キャビティの底部とコイルとの間に配置される。
【００１５】
好ましくは、保護カバーが前記ベースの配置されて、コイルとＩＣチップをこのベースを用いて包囲する。このカバーは、プラスチック、セラミック等の中性材料（neutral material）製である。この場合、前記モジュールが前記キャビティ内に導入された後は、カバーの一部のみがキャビティの外側に突出する。
【００１６】
かくして、モジュールが内側に配置される時計とは異なり、本発明の時計モジュールのコイルにより送受信される信号は、モジュールの保護カバーを通過するだけでよく、そのカバーの厚さは、時計ケースのバックカバーのそれよりも遙かに薄い。
【００１７】
従来の時計を用いて、そのバックカバー内に、特にミリング（milling）加工により、電子モジュールの形状に適合するブラインドホールあるいは外部キャビティを形成することもできる。従って、モジュールは、腕時計の全ての製造ステップの後、キャビティ内に搭載することができる。
【００１８】
好ましくは、キャビティとモジュールは、円筒形状であり、ケースのバックカバーの中央に配置される。
【００１９】
電子モジュールのベースのために、モジュールは外部表面上に配置することができ、これは、その外部表面が金属製あるいは絶縁材料製に関わらず可能である。かくして、モジュールは、スチール（鋼）、アルミ、銀、あるいは他の磁性材料製のケース上に搭載された時には、比較的良好に磁気的に絶縁される。
【００２０】
本発明の目的は、金属ケース付き時計用に電子モジュールを具備することにより、従来の欠点を解決することである。このモジュールは、データの読み出し／書き込み装置と通信する間に、それが搭載されている時計の金属ケースによる干渉を減衰させる。
【００２１】
本発明は、上記の種類の電子モジュールに関し、その特徴とするところは、ベースは、磁気シールドとして機能するような磁束を生成させる金属要素である。
【発明を実施するための最良の形態】
【００２２】
本発明は、時計へのアプリケーションに限定されるものではないが、以下の説明は、データを記憶する電子モジュールを具備した腕時計を例に説明する。登録すべきデータあるいは登録されたデータは、時計そのものに関するか、あるいは時計を装着した人の個人データに関する。電子モジュールは、コイルから非常に短距離（せいぜい数ｍｍ）だけ離れた場所に配置される。このコイルが読み出し／書き込み装置に対する送受信アンテナを形成する。
【実施例】
【００２３】
腕時計を図１に示す。腕時計は、金属ケース１を有する。この金属ケース１は、金属製中間部分ベゼル２と、同じく金属製のバックカバー３と、ガラス４とを有する。ガラス４は、従来方法により金属製中間部分ベゼル２に封止ガスケット５の手段により圧縮により固定される。この封止ガスケット５は、同時に防水仕様でガラス４でケース１をシールする。
【００２４】
図１に示すように、バックカバー３は、金属製中間部分ベゼル２にスナップ・フィットの形態で固定されるが、例えばネジ留めによりあるいはバヨネット（bayonet）・システムで固定することもできる。これにより、封止ガスケット５’を圧縮して、防水仕様でバックカバーでケースをシールする。
【００２５】
最後に、金属ケース１は、図１には示していない腕時計のバンドあるいはブレスレットを取り付けるシステムを有する。これらは、金属製中間部分ベゼル２の２つの対のラグ（horn）により形成することができる。
【００２６】
ムーブメント６は金属ケース１内に収納される。前記ムーブメント６は、文字盤７の上に配置された分針８と時針９とを駆動する。ムーブメント６は、金属製中間部分ベゼル２を貫通し、クラウン１１で終端する制御ステム１０を有する。金属ケース１は、制御ステム１０が金属製中間部分ベゼル２を貫通する場所で環状ガスケット１２により防水機能をもってシールされる。時計が電気機械型あるいは自動巻型でない場合には、制御ステム１０とクラウン１１は、時計を巻くためにも用いられる。
【００２７】
当然のことながら、腕時計は、計時回路とデジタル時間表示を具備する種類でもよい。
【００２８】
本発明によれば、金属ケース１のバックカバー３は、キャビティ１３を有する。このキャビティ１３は、ケースの外側に向かって開いており、このキャビティ１３内にモジュール１４が一部収納される。このキャビティ１３は例えばミリング加工により形成される。
【００２９】
一方で、ここに開示したアプリケーションにおいて、モジュール１４はケースのバックカバーの表面よりもかなり小さな表面を有する。他方で、モジュールは、それとは異なる形態を有することも可能である。図１では単に矩形で表されている。モジュールは、１ｍｍ台の厚さと６ｍｍ台の直径とを有する。
【００３０】
図２ａは、図１の金属ケース１のバックカバー３の領域の拡大断面図であり、モジュール１４の第１実施例を表す。このモジュール１４は、バックカバーのキャビティ１３内に永続的に挿入される。
【００３１】
この実施例において、モジュール１４は、ベース１５を有する。このベース１５の上に、データ通信用のアンテナとして機能するコイル２３と、このコイル２３に接続された集積回路（チップ）２４とを有する。ベースは、金属製要素で、磁束を通し、それが金属ケースのバックカバー３のキャビティ１３内に搭載された時には、モジュールのコイル２３を磁気的に絶縁する。ベース１５は、ドームの形態をしており、平坦なボトム１６と、両側でコイルを包囲する円筒状の側壁２７とを有する。ドーム形状のベース１５は、前記キャビティ１３内に搭載されるが、これは、平坦なボトム１６が、キャビティ１３の底部とベース上に搭載されたコイル２３との間に配置されるよう行われる。ベースのボトム１６は、キャビティ１３の底部と接触することができる。
【００３２】
カバー２８は、底部と円筒状の側壁１７とを含み、ベース１５をカバーするよう具備され、コイル２３とベース１５のボトム１６に固定された集積回路（チップ）２４とを包囲する。このベースは、カバー内に特にボンディングにより固定される、あるいはカバーの側壁１７の内側表面とベースの側壁２７の外側表面との間の摩擦力により機械的に保持される。電子モジュールが前記キャビティ１３内に搭載されているときには、カバー２８のベースの一部は、金属ケース１のバックカバー３の外側フェース３３から若干突出する。
【００３３】
カバー２８を形成する材料は、高密度ポリエチレンのようなプラスチック材料、セラミック材料、サファイア等からなる。プラスチック材料は、大衆用と中級用の時計に用いられ、セラミックあるいはサファイアは、高級時計に用いられる。材料がセラミックの場合には、セラミックは、特に審美的効果を求めない場合には、カバーのバックカバーを形成する金属と同一カラーあるいは同一の見栄えを有するよう選択される。
【００３４】
図２ａに示すように、カバー２８の側壁１７の厚さは、その底から上部に向かって若干且つ連続的に増加する。かくして、側壁１７の外側表面１８は、キャビティ１３の内壁１９と共働可能なような特定の形状をし、内壁１９は相補的な形状を有し、ワシあるいはハトの尾のような組み立て手段を形成する。
【００３５】
さらに、カバーの側壁１７の外側エッジ２０と、キャビティ１３の内壁１９のエッジ２１は丸められて、モジュール１４をキャビティ内に導入するのを容易にしている。
【００３６】
図２ｂは、図２ａのモジュール１４の底面図であり、接着充填材料と保護カバーとを省いたものである。
【００３７】
図２ａと図２ｂとを参照すると、ベース１５の側壁２７は、完全に円筒状の内側表面２２を有する。この内側表面２２が、環状具体的には円筒状で且つ平坦な自己支持型のコイル２３を包囲する。このコイルは、連続的且つ同軸の巻回の複数の層から公知の方法で形成され（図示せず）、例えば非常に細い金属ワイヤ、好ましくは銅製のワイヤから形成される。このコイルワイヤは、シース、即ち絶縁性の溶融材料（加熱時に一部溶解している）により包囲されている。かくして、ワイヤの巻回を包囲するシースの全ての部分が、コイルが冷却される時に、互いに溶着される。
【００３８】
コイル２３そのものが集積回路（チップ）２４を包囲する。ＩＣチップ２４は、コイルよりも小さい平行なパイプ形状の矩形形態である。集積回路（チップ）２４は、その前表面２５上に、２個の接続端子すなわちバンプ２６を有する。このバンプ２６の上に、コイル２３の金属ワイヤの２個の端部２９が熱圧着あるいは導電性接着剤によりボンディング即ち固定される。
【００３９】
図２ａ、２ｂに示すように、集積回路（チップ）２４の２個のバンプ２６は、集積回路（チップ）２４の長さ方向に互いに向かい合うように配置される。しかしチップの前面上の異なった場所に配置することも可能である。例えば並べて配置することも可能である。
【００４０】
この第１実施例においては、コイル２３と集積回路（チップ）２４は、直接ベース１５のボトム１６の内側フェース３０上に接着材料３１の薄いフィルムの手段により固着される。コイルの内側でチップにより残されたスペースは、接着性且つ絶縁性のある熱硬化性材料３２、例えばエポキシレジンで充填される。コイル２３のワイヤの端部２９と、それをバンプ２６に固定する手段とは、モジュール１４の保護カバー２８によりカバーされてはいないが、それらは熱硬化性材料３２により保護される。さらに、熱硬化性材料３２は、好ましくは不透明で、チップを組み込む前に光が当たらないようにしている。
【００４１】
金属ケース１のバックカバー３は、磁性材料（例えばスチールあるいはアルミ）製であるために、金属製のベース１５は、時計ケースのバックカバー３とコイル２３との間の磁気シールドとして機能する。かくして、電子モジュールの磁束は、コイルが読み出し／書き込み装置との間で信号を送受信する時に、大幅に減衰する。さらに、本発明によりベース用に選択された材料故に、データを読み出したり書き込んだりする最大距離は、絶縁性ベースの場合の距離よりも大きくなる。この距離は、モジュールが金属ケースのキャビティ内に配置された時には、８ｍｍ以上である。この距離は、送信器とそのアンテナにも依存する。
【００４２】
図２ａに示すように、モジュール１４は、金属ケース１のバックカバー３の外側フェース３３から若干突出して、ボス３４を形成し、このボス３４に、読み出し／書き込み装置のヘッド３５が配置される。この装置のヘッド３５は、図２ａでは一部点線で表されている。このヘッド３５は、アンテナとしても機能するコイル３６を有するが、凹部３５’を有し、その形状と寸法はボス３４のそれに対応している。ヘッド３５は、インターフェースを介して時計のモジュールのメモリと通信するよう設計された装置に接続されている。この装置は、固定型あるいは可動型のパソコン（ＰＣ）である。
【００４３】
明らかに、モジュールのボス３４により、時計は、ボスの形状と寸法に対応する凹部を有するサポート部材上に同様に配置できる。
【００４４】
さらにまた、モジュールが金属ケース１のバックカバーから突出している時には、その外側エッジは、好ましくは丸められて、ボス３４が時計を装着する人に不快感を与えないようにしている。しかし丸めた部分の代わりに角を落とすだけでもよい。
【００４５】
モジュール１４のコイル２３により送受信されるブロードキャスト波（信号）は、金属ケース１のバックカバー３の厚さをもはや全部貫通せず、遙かに薄いカバー２８の底部分のみを貫通するだけである。かくして、これらの波（信号）は、電子モジュールがケースの底部で内側に配置された公知の時計の場合よりも、その減衰と歪みは遙かに小さい。
【００４６】
磁気シールドとして機能するために、非常に高い透磁率の材料を使用する必要がある。そのために、ベースに用いられる材料は、フェライト、又はニッケル、鉄、銅とモリブデンの合金から形成される。好ましくは、この合金は、７０−８０％のニッケルと１０−２０％の鉄からなる。Ｍｕｍｅｔａｌ（登録商標）として公知の材料も使用することができる。
【００４７】
ベース材料は、Ｓｕｌｅｍ（登録商標）として公知の純軟鉄（pure soft iron）から形成することもできる。
【００４８】
これらのタイプの材料がベース用に用いられると、読み出し／書き込み装置とモジュールとの間の距離を、ＩＣチップ・メモリからのデータの読み出しと書き込み動作に対して、増加させることができる。
【００４９】
以下に示す表においては、読み出し／書き込み装置と電子モジュール（ＴＡＧ）との最大距離と、データの読み出し／書き込みを行う際の、時計ケース（バックカバー）材料とベース材料との関係を次に示す。
バックカバー    絶縁材料製      スチール製      アルミ製    
絶縁性ベース     ９ｍｍ         ６．５ｍｍ      １．５ｍｍ
Mumetalベース  １６ｍｍ        ９．７ｍｍ      ９．７ｍｍ
Sulemベース    １３ｍｍ        ８．５ｍｍ      ８    ｍｍ
【００５０】
上記の表から分かることは、高い透磁率材料製のベースでは、電子モジュールがバックカバーのどこに配置されていようとも、データの読み出しと書き込みの最大距離は、８ｍｍ以上である。時計がラッピング・ケースに配置された場合でも、データは、このラッピングケースを介して読み出しおよび書き込みが可能であることを意味する。
【００５１】
集積回路（チップ）２４は、データを記憶するための１つあるいは複数の種類のメモリを含む。それらは、読み出しのみのデータを記憶するための読み出し専用メモリと、データの削除／変更／追加が可能なメモリである。
【００５２】
このことは、電子モジュールが、時計そのもの、より具体的には、その製造業者、購入者、「補修マニュアル」（自動車のそれに類似する）でそれを個人用に改善するようなデータを電子モジュールが記憶できるようなアプリケーションにも、当てはまる。本発明の装置が販売店でも用いられることもある。かくして時計が、検査、修理、単なるバッテリー交換（時計が電子機械式あるいは電子型の場合）の時には、時計の製造業者の作業を容易にする。
【００５３】
中級から上級にかけての時計の場合、電子モジュールに登録されたデータは、例えば４つのカテゴリーに分けられる。第１カテゴリーは、販売された時計の商標あるいはモデルと、データと、小売業者に時計が渡された発送元の住所とに関する。第２のカテゴリーは、特に時計のムーブメントの製造工場に関する。第３のカテゴリーは、ポイント・オブ・セールス（point of sales）の参照用であり、最後の第４のカテゴリーは、クライアントサービスに関し、例えば、セールスマン又は小売業者が時計に対して行った様々な操作に関する。
【００５４】
これらのデータのあるものは、読み出し専用のＲＯＭに記憶することもできる。これは、例えば第１と第２のカテゴリーに対して当てはまる。
【００５５】
他の２つのカテゴリーのデータは、いくつかのダイナミックメモリ、例えばＲＡＭ型、ＥＰＲＯＭ型、ＥＥＰＲＯＭ型で、削除、変更、書き込みされるものである。
【００５６】
あらゆる場合において、リーダーのヘッドあるいはサポートのコイルは、適宜のインターフェースを介して固定型あるいは可動型のコンピュータに接続され、これにより、モジュールのメモリ内に含まれているデータを読み出し可能にし、可能ならば、データの一部を削除、変更、書き込みも可能とする。
【００５７】
その後、データは、保護されたインターネット・サイト上、あるいは時計に関連する全ての人にアクセス可能なインターネット・ループ上にアップロードされる。
【００５８】
図３は、図２ａに類似する図であるが、本発明による時計の電子モジュールの第２実施例を示す。同図において、同一の要素は同一の参照番号を付し、新たな部品のみに新たな番号を付す。
【００５９】
図２ａの第２実施例との相違点の１つは、図３の第２実施例では、コイル２３と集積回路（チップ）２４は、ベース１５のボトム１６の内側フェース３０上に直接取り付けられておらず、プリント基板３８上に搭載されている点である。この基板３８は、モジュール１４のベース１５のボトム１６に結合／搭載されるか、単にベースの内側に搭載される。
【００６０】
他の相違点は、図３の第２実施例では、コイル２３のワイヤの端部は、集積回路（チップ）２４のバンプ２６のコイルに直接接続されておらず、プリント基板３８の基板上に形成されたバンプ４０を介して接続されている点である。より具体的には、端部２９の各端部は、熱圧縮による結合あるいは固定、あるいはバンプ４０の上の導電性接着剤の手段により結合される。そしてこのバンプ４０が集積回路（チップ）２４のバンプ２６に導電性ワイヤ４１を介して接続される。
【００６１】
従って、コイル２３と集積回路（チップ）２４は、従来の自動ワイヤ・ボンディング方法を用いて、電気的に結合される。
【００６２】
図４に示す第３実施例においては、プリント基板３８の側壁１７の外側表面１８と、時計ケースのバックカバー３のキャビティ１３の内壁１９とは、両方とも円筒形状である。モジュール１４は、キャビティの内側に、組み込みあるいはボンディングにより、固定される。さらに、カバー２８の側壁１７の外側エッジは、図２ａ、２ｂの第１実施例のようには丸められずに、角に傾斜がつけられている。
【００６３】
この第３実施例においては、ベース１５は剛性プレートであり、このプレートがコイル２３と集積回路（チップ）２４を搭載する。ベース１５は、カバー２８内に挿入されて、コイルとチップとを包囲する。前の実施例と同様に、ベース１５はコイルとキャビティ１３の底部との間に配置されて、コイルを磁気的にシードする。ベース１５は、コイルの表面のみをカバーしてもよいが、これは、ドーム形状のベースよりも効率が悪い。このベース１５は、コイル２３の外径よりも若干大きな外径を有する。
【００６４】
この実施例が適しているのは、ケースのバックカバー３と又はモジュール１４のカバー２８が機械加工あるいは成型することが困難な硬い材料から形成されている場合である。
【００６５】
さらにまた、図２ａ、２ｂの実施例のように、この第３実施例においては、コイル２３の端部２９は、集積回路（チップ）２４のバンプ２６の上に直接固定される。しかし、このワイヤ端部とバンプ２６とは、図３の実施例と同様な方法で接続可能である。
【００６６】
図には示していない他の実施例では、モジュール１４は、ケースのバックカバー３のキャビティ１３内にクリッピングにより固定される。モジュールのカバー２８は、その底部の側上に外側周辺のノッチを有し、その中に、バックカバー３の内側端部が係合する。モジュールを固定するこの方法は、ボンディングと組み込み設定が不可能な場合、用いることができる。
【００６７】
図５に示す電子モジュールの第４実施例においては、磁気シールド用のドーム形状の金属ベース１５は、図２ａ、３に示すように、保護カバーで覆われていない。前記モジュールは、集積回路（チップ）２４のカプセル化レジンである熱硬化性材料３２とコイル２３のワイヤの絶縁により、機械的損傷に対してのみ保護される。しかし、前述した実施例とは異なり、モジュール１４の一部は、ベース１５に対し相補形状のキャビティ１３内に導入され、キャビティ１３の外側に突出しない。モジュール１４は、ケースのバックカバーのキャビティ１３内に組み込み設定あるはボンディングされる。
【００６８】
この第４の実施例においては、ワイヤコイルの端部と集積回路チップとバンプとの接合に関する前述した説明も有効である。
【００６９】
しかし、コイルワイヤの端部をＩＣチップのバンプに接合する代わりに、この接続は、テープ自動ボンディング（tape aoutomatic bonding）、すなわちＴＡＢを用いて得ることもできる。これに関しては、特許文献１を参照のこと。この方法は、腕時計のような金属ケース付き時計に適合したモジュールへも適用可能である。
【００７０】
図６ａ、６ｂは、合金製のバー（帯）５０のみを示す。このバー５０は、容易に機械加工あるいは打ち抜きで形成できる。その結果、電子モジュール構成要素の組み立てが自動化できる。このバー５０は、純軟鉄（pure soft iron）あるいはＭｕｍｅｔａｌ（登録商標）の合金から形成できる。この種の金属材料では、バー内にドーム形状でいくつかのベース１５を容易に形成できる。各ベースは、３個のブリッジ５１によりバーの残りの部分に保持される。
【００７１】
電子モジュール製造ステップにおいて、コイル２３と集積回路（チップ）２４は、各ドームであるベース１５に固定される。その後、接続ワイヤがＩＣチップの接触端子をコイルの端部に接続する。レジンが、その後チップ上に塗布され、コイルとＩＣチップとの間の空間を充填する。全ての電子モジュールがバー５０で形成されると、バー５０から連続して切り離される。各ベースは、その後、保護カバーにより覆われ、その後モジュールが時計ケースの底部のキャビティ内に導入される。これら全ての操作は自動的に行われて、電子モジュールを具備する時計の製造時間を短縮する。
【００７２】
上記した説明から金属ケースを具備する時計あるいは電子モジュールを具備する時計のさまざまな変形例が本発明の範囲を逸脱することなく、当業者は考え得る。電子モジュールは、その全体を、突起部分を有さずに、時計の外部キャビティ内に収納することも可能であり、読み出しヘッド用の保持装置を具備することも可能である。さらにまた、これらの実施例およびその変形例においては、電子モジュールは、キャビティ内に永久に固定される。しかし、金属ベース用の保護カバーを具備したモジュールを形成するることも、キャビティの内壁と共働するような側壁を具備することも可能であり、これにより、モジュールを取り外したり交換できるようになる。モジュールは、ネジ留めあるいはバヨネット系で固定することもできる。
【００７３】
コイルとＩＣチップは、金属ベース上に搭載する前に、保護カバーに固定することもできる。コイルは、円形リングとは異なる形状を採ることもできる。例えば、矩形あるいはＩＣチップの周囲のループの一部でもよい。
【００７４】
ベースはまた、フーコー電流（Foucault current）による干渉をさけるために、直径方向のスロットを有してもよい。
【００７５】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００７６】
【図１】本発明による電子モジュールを具備したアナログ腕時計の断面図。
【図２ａ】本発明の第１実施例の電子モジュールを組み込んだ図１のケースのバックカバー領域の半径方向断面図。
【図２ｂ】保護カバーを取り外した状態の電子モジュールの一部省略した底面図。
【図３】本発明の第２実施例の電子モジュールを組み込んだ図１のケースのバックカバー領域の断面図。
【図４】本発明の第３実施例の電子モジュールを組み込んだ図１のケースのバックカバー領域の断面図。
【図５】本発明の第４実施例の電子モジュールを組み込んだ図１のケースのバックカバー領域の断面図。
【図６ａ】電子モジュールの組み立てを自動化するために、それぞれにコイルとＩＣチップが搭載されている磁気シールド・ドームを複数個有するバーの上面図。
【図６ｂ】電子モジュールの組み立てを自動化するために、それぞれにコイルとＩＣチップが搭載されている磁気シールド・ドームを複数個有するバーの側面図。
【符号の説明】
【００７７】
１  金属ケース
２  金属製中間部分ベゼル
３  バックカバー
４  ガラス
５  封止ガスケット
６  ムーブメント
７  文字盤
８  分針
９  時針
１０  ステム
１１  クラウン
１２  環状ガスケット
１３  キャビティ
１４  モジュール
１５  ベース
１６  平坦ボトム
１７  側壁
１８  外側表面
１９  内壁
２０  外側エッジ
２１  エッジ
２２  内側表面
２３  コイル
２４  集積回路（チップ）
２５  前表面
２６  バンプ
２７  則壁
２８  カバー
２９  端部
３０  内側フェース
３１  接着材料
３２  熱硬化性材料
３３  外側フェース
３４  ボス
３５  ヘッド
３５’  凹部
３６  コイル
３８  プリント基板
４０  バンプ
４１  導電性ワイヤ
５０  バー
５１  ブリッジ
【図１】
2007504437.tif 000003
【図２ａ】
2007504437.tif 000004
【図２ｂ】
2007504437.tif 000005
【図３】
2007504437.tif 000006
【図４】
2007504437.tif 000007
【図５】
2007504437.tif 000008
【図６ａ】
2007504437.tif 000009
【図６ｂ】
2007504437.tif 000010
【国際調査報告】
2007504437.tif 000011
2007504437.tif 000012
2007504437.tif 000013
2007504437.tif 000014
2007504437.tif 000015
2007504437.tif 000016